(57)【要約】【課題】目隠し状態であっても室内外の通気を確保できるようにする。【解決手段】窓枠体１０と、窓枠体１０に取付け固定された第１仕切具１１と、窓枠体１０に上下移動調節可能に設けられ、第１仕切具１１との間に通風空間Ｓを形成した第２仕切具１２とを備え、第１仕切具１１，第２仕切具１２の各々に、上下方向へ同一の間隔寸法Ｐで横長開口部１１ａ（１２ａ）を同一の上下高さ寸法Ｈ１で開設すると共に、上下高さ寸法Ｈ１より大きい上下高さ寸法Ｈ２の横長遮光板部１１ｂ（１２ｂ）を上下隣接する横長開口部１１ａ（１２ａ）の間に形成し、第２仕切具１２の上下方向の移動範囲を、横長開口部１１ａ（１２ａ）どうしを対向させる全開位置Ｑ１から、横長開口部１１ａと横長遮光板部１２ｂとを対向させる全閉位置Ｑ２までとした。【選択図】図２
0003138942.tif 000002
【実用新案登録請求の範囲】
【請求項１】
窓枠体と、窓枠体に取付け固定された第１仕切具と、窓枠体に上下移動調節可能に取付けられて対向する第１仕切具との間に通風空間を形成した第２仕切具とを備え、第１仕切具及び第２仕切具の各々は、複数の同一高さ寸法の横長遮光板部を上下方向へ同一の間隔寸法で配置し、横長遮光板部の上下高さ寸法より小さい又は同一の上下高さ寸法の横長開口部を、上下隣接する横長遮光板部の間に開設し、第２仕切具の上下方向の移動範囲を、第１仕切具及び第２仕切具の横長開口部どうしを対向させる全開位置から、第１仕切具の横長開口部と第２仕切具の横長遮光板部とを対向させる全閉位置までとしことを特徴とする通風可能で目隠し調節できる窓。
【請求項２】
前記窓枠体にコイルスプリングを介して第２仕切具を吊り下げた請求項１記載の通風可能で目隠し調節できる窓。
【請求項３】
前記通風空間の左右両側の各々に、前記コイルスプリングを配置した請求項２記載の通風可能で目隠し調節できる窓。
【請求項４】
前記窓枠体と前記第２仕切具との間に、前記横長開口部の上下高さ寸法より小さな上下寸法毎に第２仕切具を停止させることができる停止機構を設けた請求項１、２又は３記載の通風可能で目隠し調節できる窓。
【考案の詳細な説明】
【技術分野】
【０００１】
本考案は、通風可能で目隠し調節できる窓であって、目隠し状態と採光状態とに切替えできるものに関する。
【背景技術】
【０００２】
従来、通風可能で目隠し調節できる窓には、微細なエッチング開口が形成された二枚の金属薄板が窓枠体内に平行に重ねて収納されており、当該二枚の金属薄板の少なくとも一方が二次元方向に平行にスライドして金属薄板の相対位置が調整可能にされているものがある（特許文献１）。この窓は、一方の金属薄板の下端寄りに形成した円形孔を偏心カムで支持する偏心カム機構を備え、偏心カム機構で一方の仕切具を上下へスライド移動させて二枚の金属薄板の開口どうしが重なり合って開口する開口量を調節することで、二枚の金属薄板を通過する外光量や通気量を調整できるようにしてある。
【特許文献１】特開平１０−２６６７３２号公報
【考案の開示】
【考案が解決しようとする課題】
【０００３】
しかし、前記窓は、二枚の金属薄板が窓枠体内に平行に重ねて収納されているため、二枚の金属薄板の開口と遮蔽部とが重なり合って目隠し状態になると、外気の通過の大部分を遮断することになり、通風が得られなくなる問題が生じる。
【０００４】
本考案は、上記課題を解決するために、目隠し状態であっても通気を確保できる窓の提供を目的とする。
【課題を解決するための手段】
【０００５】
目隠し状態であっても室内外の通気を確保できるようにするために請求項１記載の本考案が採用した手段は、窓枠体と、窓枠体に取付け固定された第１仕切具と、窓枠体に上下移動調節可能に取付けられて対向する第１仕切具との間に通風空間を形成した第２仕切具とを備え、第１仕切具及び第２仕切具の各々は、複数の同一高さ寸法の横長遮光板部を上下方向へ同一の間隔寸法で配置し、横長遮光板部の上下高さ寸法より小さい又は同一の上下高さ寸法の横長開口部を、上下隣接する横長遮光板部の間に開設し、第２仕切具の上下方向の移動範囲を、第１仕切具及び第２仕切具の横長開口部どうしを対向させる全開位置から、第１仕切具の横長開口部と第２仕切具の横長遮光板部とを対向させる全閉位置までとしことを特徴とする通風可能で目隠し調節できる窓である。
【０００６】
第２仕切具を上下移動させ易くするために請求項２記載の本考案が採用した手段は、前記窓枠体にコイルスプリングを介して第２仕切具を吊り下げた請求項１記載の通風可能で目隠し調節できる窓である。
【０００７】
第１仕切具と第２仕切具が対向する方向の前後寸法を増大させることなくコイルスプリングを配置するために請求項３記載の本考案が採用した手段は、前記通風空間の左右両側の各々に前記コイルスプリングを配置した請求項２記載の通風可能で目隠し調節できる窓である。
【０００８】
第２仕切具を停止位置を段階的に選択できるようにするために請求項４記載の本考案が採用した手段は、前記窓枠体と前記第２仕切具との間に、前記横長開口部の上下高さ寸法より小さな上下寸法毎に第２仕切具を停止させることができる停止機構を設けた請求項１、２又は３記載の通風可能で目隠し調節できる窓である。
【考案の効果】
【０００９】
請求項１記載の本考案に係る通風可能で目隠し調節できる窓は、第１仕切具と第２仕切具の間に通風空間を形成してあるため、第２仕切具を全閉位置にして目隠し状態としても、第１仕切具及び第２仕切具の両方の横長開口部及び通風空間へ空気を通すことができるため、通室内外の通気を確保することができる。
【００１０】
請求項２記載の本考案に係る通風可能で目隠し調節できる窓は、窓枠体にコイルスプリングを介して第２仕切具を吊り下げることにより、第２仕切具を上下移動させる操作力の軽減が図れ、操作し易くすることができる。
【００１１】
請求項３記載の本考案に係る通風可能で目隠し調節できる窓は、コイルスプリングの配置に第１仕切具と第２仕切具の間に形成した通風空間を利用することで、コイルスプリングを配置するために第１仕切具と第２仕切具が対向する方向の前後寸法を増大させることがない。
【００１２】
請求項４記載の本考案に係る通風可能で目隠し調節できる窓は、停止機構により第２仕切具の停止位置を段階的に選択できるので、使い勝手を良くできる。
【考案を実施するための最良の形態】
【００１３】
本考案に係る目隠し調節できる窓（以下、「本考案窓」という。）について、図面に示す実施の形態に基づいて説明する。
【００１４】
図１乃至図７は、本考案窓の実施の形態を示すものである。図１は本考案窓１を躯体側枠３の右側に配置して非目隠し状態とし、第２仕切具１２の横長遮光板部１２ｂの一部を破断した正面図、図２は図１のＩＩ−ＩＩ線で断面して拡大し、上下の中間を省略した右側面図、図３は本考案窓１を目隠し状態とし、第２仕切具１２の横長遮光板部１２ｂの一部を切欠いた正面図、図４は図３のＩＶ−ＩＶ線で断面して拡大し、上下の中間を省略した右側面図、図５は図３のＶ−Ｖ線で断面して拡大した平面図、図６は本考案窓１を非目隠し状態にしている停止機構２２の部分を拡大した縦断面図、図７は本考案窓１を躯体側枠体３の左側に配置して非目隠し状態にし、第２仕切具１２の横長遮光板部１２ｂの一部を破断した正面図である。
【００１５】
本考案窓１は、図１乃至図５に示す如く、四角に枠組みした窓枠体１０と、窓枠体１０に取付けられた第１仕切具１１と、窓枠体１０に上下移動調節可能に取付られた第２仕切具１２とを備え、第１仕切具１１と第２仕切具１２の間に通風空間Ｓ（図２参照）を形成して両仕切具１１，１２を対向させてある。これら窓枠体１０、第１仕切具１１及び第２仕切具１２は、木質素材、合成樹脂素材及び／又は金属素材（鉄若しくはアルミニユーム等の非鉄金属）から成形されている。
【００１６】
前記第１仕切具１１は、左右方向へ延びる不透明又は半透明な板材からなる複数の横長遮光板部１１ｂを上下方向へ同一の間隔寸法Ｐで配列させ、窓枠体１０に各横長遮光板部１１ｂの左右両端側をビス等の取付具１３（図５参照）又は接着剤等で接合して形成されている。前記第２仕切具１２は、四角に枠組みした枠体１２ｄと、左右方向へ延びる不透明又は半透明な板材からなる複数の横長遮光板部１２ｂとからなり、複数枚の横長遮光板部１２ｂを上下方向へ同一の間隔寸法Ｐで配列させ、枠体１２ｄに各横長遮光板部１２ｂの左右両端側をビス等の取付具１３又は接着剤等で接合して形成されている。第１仕切具１１及び第２仕切具１２は、複数の横長遮光板部１１ｂ（１２ｂ）を上下方向へ同一の間隔寸法Ｐで配列することで、横長遮光板部１１ｂ（１２ｂ）の上下高さ寸法Ｈ２より小さい又は同一の上下高さ寸法Ｈ１の横長開口部１１ａ（１２ａ）を、上下隣接する横長遮光板部１１ｂ，１１ｂ（１２ｂ，１２ｂ）の間に開設してある。なお、上記横長遮光板部１１ｂ及び横長遮光板部１２ｂは、前記素材以外に、竹材から成形することもある。
【００１７】
前記第２仕切具１２は、前記の如く形成する以外に、一枚の金属板を打ち抜き加工及び折曲げ加工する等して、枠体と複数の横長遮光板部を一体に成形して、隣接する横長遮光板部の間に横長開口部を開口させて形成することも可能である。同様に、前記第１仕切具１１は、一枚の金属板を打ち抜き加工及び折曲げ加工する等して、窓枠体１０と一体に成形することも可能である。
【００１８】
前記第２仕切具１２は、図５に示す如く、窓枠体１０に対して、窓枠体１０の左右の縦枠部の内側に設られて縦方向に延びる左右のレール１４，１４と、枠体１２ｄの左右の外側面に凹設されてレール１４，１４で案内される縦溝１５，１５とからなる案内手段を介して上下移動可能に設けられている。本考案窓１は、図１及び図２に示す如く、第２仕切具１２を第１仕切具１１よりも室内側に配置し、第２仕切具１２の室内側にハンドル１６を設けて、ハンドル１６を操作して第２仕切具１２を上下移動し易くしてある。
【００１９】
本考案窓１は、第２仕切具１２の上下移動に伴い、図３及び図４に示す如く、横長遮光板部１２ｂを第１仕切具１１の横長開口部１１ａと対向させると共に、横長開口部１２ａを第１仕切具１１の横長遮光板部１１ｂと対面させることで目隠し調節できると共に、第２仕切具１２の停止位置に関係なく室内外を横長開口部１２ａ及び通風空間Ｓで連通する通風路Ｔを確保し、常に通風できるようになっている。
【００２０】
本考案窓１は、第２仕切具１２の上下方向の移動範囲が、図１及び２に示す如く、横長開口部１１ａ，１２ａどうしを対向させる全開位置Ｑ１から、図３及び４の如く、横長開口部１１ａ（又は１２ａ）と横長遮光板部１２ｂ（又は１１ｂ）とを対向させる全閉位置Ｑ２までとなっている。第２仕切具１２を全開位置Ｑ１で停止させたときは、横長開口部１１ａ（又は１２ａ）を横長遮光板部１２ｂ（又は１１ｂ）で覆わない非目隠し状態となり、採光量を最大にする。また、第２仕切具１２を全閉位置Ｑ２に停止させたときは、横長開口部１１ａ（又は１２ａ）を横長遮光板部１２ｂ（又は１１ｂ）で完全に覆う目隠し状態となる。
【００２１】
本考案窓１は、窓枠体１０に、通風空間Ｓの左右両側に配置した左右のコイルスプリング１７，１７を介して第２仕切具１２を吊り下げてある。コイルスプリング１７は、図２に示す如く、窓枠体１０の上枠１０ｂの下側に設けた取付具１８に吊下げられ、第２仕切具１２の上枠１２ｄ’に穿設した貫通孔（図示略）を貫通するワイヤ２０と、第２仕切具１２の内側面１２ｃに設けた取付具２１との間に張架されている。本考案窓１は、本例では、コイルスプリング１７の持ち上げ力Ｆ２を、図１及び図３に示す如く、第２仕切具１２の自重による荷重Ｆ１よりも小さな力とし（なお、この力Ｆ２は、コイルスプリング１７の伸び量が第２仕切具１２の停止位置で異なるため、多少変化する。）、第２仕切具１２を軽い操作力（操作力＝Ｆ１−Ｆ２）で上下移動できるようにしてある。
【００２２】
本考案窓１は、図２、図４及び図６に示す如く、窓枠体１０と第２仕切具１２との間に停止機構２２を設け、前記横長開口部１１ａ，１２ａの上下高さ寸法Ｈ１よりも小さな上下高さ寸法Ｈ３毎に第２仕切具１２を停止させることができるようにしてある。停止機構２２は、窓枠体１０の下枠１０ａの室内側に取付けられ、上下高さ寸法Ｈ３の間隔で溝２３ａ，２３ａ…を刻設した縦バー２３と、第２仕切具１２の下端側に設けられ、各溝２３ａに係合できる突起２４と、溝２３ａと突起２４との係合状態を保持又は解除する操作具２５とで構成されたラッチ機構となっている。本考案窓１は、第２仕切具１２を全開位置Ｑ１（図１及び図２に示す状態）から全閉位置Ｑ２（図３及び図４に示す状態）まで上下移動させる間に第２仕切具１２の停止位置を上下寸法Ｈ３で段階的に選択できるので、第２仕切具１２の上下移動調節を容易に行うことができる。
【００２３】
本考案窓１は、図１及び２のに示す如く、下方に前記停止機構２２を設けると共に、窓枠体１０の下枠１０ａと当接する第２仕切具１２の最下位置を全開位置Ｑ１とすることで、第２仕切具１２を全開位置Ｑ１に位置合わせし易くしてある。しかし、本考案窓１は、これに限定するものではなく図示は省略したが、上方に前記停止機構２２を設けると共に、窓枠体１０の上枠１０ｂと当接する第２仕切具１２の最上位置を全開位置Ｑ１とすることも可能である。この場合には、コイルスプリング１７は、その持ち上げ力Ｆ２を第２仕切具１２の自重による荷重Ｆ１よりも大きな力とすることにより、第２仕切具１２を全開位置Ｑ１に位置合わせし易くすることもある。
【００２４】
本考案窓１は、その施工態様として、図１及び図２に示すように躯体２に設けた躯体側枠体３の内側に配置して左右移動自在に設ける場合と、図示は省略したが躯体２の開口周縁に躯体側枠体を介し又は介することなく窓枠体１０を嵌め込んで固定する場合とがある。左右移動自在とする場合、本考案窓１は、図２に示す如く、躯体側枠体３に設けた上下のレール４，６に、本考案窓１の窓枠体１０の上下に設けた横溝５及び車輪７を案内させるように構成する。本考案窓１は、左右移動の操作をし易くするために、窓枠体１０に把手２６を備えるとよい。本考案窓１は、躯体側枠体３に取付けた両開きガラス窓８よりも室内側に設ける態様の他に、ガラス窓８よりも室外側に設ける態様（図示略）も可能である。更に、本考案窓１は、室内間仕切建具又簡易間仕切（パーテーション）として用いることも可能である。
【００２５】
本考案窓１は、前述の如く、窓枠体１０にコイルスプリング１７，１７を介して第２仕切具１２を吊り下げることにより、第２仕切具１２を上下移動させる操作力の軽減が図れ、操作性の向上が図れる。また、本考案窓１は、コイルスプリング１７，１７の配置に第１仕切具１１と第２仕切具１２の間に形成した通風空間Ｓを利用することで、コイルスプリング１７，１７を配置するために第１仕切具１１と第２仕切具１２が対向する方向の前後寸法を増大させることもなく、コンパクトに構成することがでかる。更に、本考案窓１は、停止機構２２により第２仕切具１２の停止位置を段階的に選択できるので、使い勝手を良くできる。
【図面の簡単な説明】
【００２６】
【図１】本考案窓の実施の形態を示すものであって、本考案窓を躯体側枠の右側に配置して非目隠し状態とし、第２仕切具の横長遮光板部の一部を切欠いた正面図である。
【図２】図１のＩＩ−ＩＩ線で断面して拡大し、上下の中間を省略した右側面図である。
【図３】同実施の形態において、本考案窓１を目隠し状態とし、第２仕切具の横長遮光板部の一部を切欠いた正面図である。
【図４】図３のＩＶ−ＩＶ線で断面して拡大し、上下の中間を省略した右側面図である。
【図５】図３のＶ−Ｖ線で断面して拡大した平面図である。
【図６】本考案窓を非目隠し状態にしている停止機構の部分を拡大した縦断面図である。
【図７】同実施の形態において、本考案窓を躯体側枠体の左側に配置して非目隠し状態にし、第２仕切具の横長遮光板部の一部を破断した正面図である。
【符号の説明】
【００２７】
１…本考案窓、１０…窓枠体、１１…第１仕切具、１１ａ…横長開口部、１１ｂ…横長遮光板部、１２…第２仕切具、１２ａ…横長開口部、１２ｂ…横長遮光板部、１７…コイルスプリング、Ｐ…横長遮光板部１１ｂ（１２ｂ）の間隔寸法、Ｈ１…横長開口部１１ａ（１２ａ）の上下高さ寸法、Ｈ２…横長遮光板部１１ｂ（１２ｂ）の上下高さ寸法、Ｓ…通風空間、Ｑ１…全開位置、Ｑ２…全閉位置  
【図１】
0003138942.tif 000003
【図２】
0003138942.tif 000004
【図３】
0003138942.tif 000005
【図４】
0003138942.tif 000006
【図５】
0003138942.tif 000007
【図６】
0003138942.tif 000008
【図７】
0003138942.tif 000009